(57)【特許請求の範囲】
【請求項１】
水晶体の少なくとも一部が摘出された眼の後房に配置されて、水晶体のレンズ機能を代行するレンズ部と、
前記レンズ部の側縁から視軸に関する径方向外方に脚形状で延設されつつ、その先端は周方向に延びる形状を有して、前記先端が毛様溝から挿入されて前記レンズ部を後房に固定する支持部と、
を備え、
前記支持部における毛様溝から挿入される部分は、折り返されて前記レンズ部からの延設方向の逆方向へ戻る形状を有し、強膜の一部に掛止する折り返し部を有することを特徴とする眼内レンズ。
【請求項２】
前記折り返し部は、その折り返し部以外の前記支持部の一部とともに強膜の内部に形成されたトンネル状の孔部に挿入可能な角度で折り返されている請求項１に記載の眼内レンズ。
【請求項３】
前記折り返し部は、その折り返し部以外の前記支持部の一部とともに強膜の内部に形成されたトンネル状の孔部に挿入された場合に、前記折り返し部の全体が前記孔部の内部に収容される長さに調節可能である請求項１又は２に記載の眼内レンズ。
【請求項４】
前記支持部は、前記レンズ部が後房に配置された状態で前記折り返し部が強膜の外表面に掛止するように形成されている請求項１に記載の眼内レンズ。
【請求項５】
前記支持部は、前記レンズ部の側縁から視軸に関する対称な形状で延びる複数本のループ形状で形成され、
前記折り返し部は、全ての支持部の先端に形成されている請求項１ないし４のいずれか１項に記載の眼内レンズ。
【請求項６】
前記支持部は、前記レンズ部の側縁から視軸に関する対称な形状で延びる２本のループ形状で形成され、
前記折り返し部は、２つの支持部の先端に形成されている請求項１ないし５のいずれか１項に記載の眼内レンズ。
【請求項７】
前記折り返し部には長さ方向に間隔を置いて目盛り線が表示された請求項１ないし６のいずれか１項に記載の眼内レンズ。
【発明の詳細な説明】
【技術分野】
【０００１】
本発明は眼内レンズに関する。
【背景技術】
【０００２】
周知のとおり、眼の白内障に対する治療として、患者の白濁した水晶体を摘出した後に、眼内レンズ（ＩＯＬ、Intraocular Lense）を眼内に挿入する手術が広く行われている。例えば下記特許文献１には、白内障の治療において水晶体摘出後に眼内に挿入して毛様体に縫着する眼内レンズが提案されている。
【先行技術文献】
【特許文献】
【０００３】
【特許文献１】特許第２７９２５８８号公報
【発明の概要】
【発明が解決しようとする課題】
【０００４】
特許文献１に記載された技術では、眼内レンズを毛様体に縫着するが（眼内レンズ縫着術）、これに対して、眼内レンズを縫着しないで強膜内に固定する手法も提案されている（眼内レンズ強膜内固定術）。この手法では例えば強膜内に周方向に形成したトンネル状の孔部に眼内レンズの支持部の先端を挿入することにより、トンネルが先端を締め付けるようになって先端がそのままトンネル内にとどまるので、縫着しなくとも眼内レンズが支持される。
【０００５】
この手法であれば、例えば眼内レンズ縫着術において必要となる眼内レンズの縫着技術の習得が不要となる。またこの手法を用いると、眼の中心位置に精度よく眼内レンズを配置することができ、レンズ固定の安定性（特にレンズの軸方向の安定性）が向上してレンズの傾きが起きにくいなどの効果が報告されている。
【０００６】
このような強膜内固定の手法は、従来からある眼内レンズに変更を施さずに行うことができるとされ、そのことが利点の１つと考えられている。確かに従来からある眼内レンズがそのまま使用できる点は利点であるが、逆に言って、強膜内固定に適した（あるいは特化した）眼内レンズの開発は不十分だとも考えられる。
【０００７】
上述のとおり強膜内固定術により眼内レンズが効果的に支持できることが報告されているが、例えば眼内レンズの支持部の形状を強膜内固定術により適した形状にして、強膜トンネル内により確実に支持部が固定できれば、眼内レンズ強膜内固定術をさらに優れたものにできる可能性がある。この課題は強膜内固定術に限定される課題ではなく、強膜の外側表面など、強膜の一部に固定するあらゆる処置に対する課題である。
【０００８】
そこで本発明が解決しようとする課題は、支持部を毛様溝から挿入して強膜に固定する処置に適した構成を有することにより、水晶体摘出後の眼内に、毛様溝から挿入して強膜に固定する処置により縫着なしで確実に固定される眼内レンズを提供することにある。
【課題を解決するための手段】
【０００９】
上記課題を解決するために、本発明に係る眼内レンズは、水晶体の少なくとも一部が摘出された眼の後房に配置されて、水晶体のレンズ機能を代行するレンズ部と、前記レンズ部の側縁から視軸に関する径方向外方に脚形状で延設されつつ、その先端は周方向に延びる形状を有して、前記先端が毛様溝から挿入されて前記レンズ部を後房に固定する支持部と、を備え、前記支持部における毛様溝から挿入される部分は、折り返されて前記レンズ部からの延設方向の逆方向へ戻る形状を有し、強膜の一部に掛止する折り返し部を有することを特徴とする。これにより、毛様溝から強膜内に挿入された折り返し部が強膜内のどこかに掛止することにより、支持部が強膜内に強く拘束される。よって眼内レンズが確実に固定される。また毛様溝からの挿入により眼内レンズが後房の適切な位置に配置できる。
【００１０】
前記折り返し部は、その折り返し部以外の前記支持部の一部とともに、強膜の内部に形成されたトンネル状の孔部に挿入可能な角度で折り返されているとしてもよい。これにより折り返し部が強膜の内部に形成されたトンネル状の孔部に挿入可能となるので、強膜内に挿入された折り返し部が強膜内のどこかに掛止することにより、支持部が強膜内に強く拘束される。よって眼内レンズが確実に固定される。
【００１１】
また前記折り返し部は、その折り返し部以外の前記支持部の一部とともに強膜の内部に形成されたトンネル状の孔部に挿入された場合に、前記折り返し部の全体が孔部の内部に収容される長さに調節可能であるとしてもよい。これにより折り返し部の全体が強膜の内部に形成されたトンネル状の孔部に収容可能となるので、強膜内に挿入された折り返し部が強膜内のどこかに掛止することにより、支持部が強膜内に強く拘束される。よって眼内レンズが確実に固定される。
【００１２】
また前記支持部は、前記レンズ部が後房に配置された状態で前記折り返し部が強膜の外表面に掛止するように形成されているとしてもよい。これにより、折り返し部が強膜の外表面に掛止する形態で、眼内レンズを確実に眼内に固定できる。
【００１３】
また前記支持部は、前記レンズ部の側縁から視軸に関する線対称な形状で延びる複数本のループ形状で形成され、前記折り返し部は、全ての支持部の先端に形成されているとしてもよい。これにより複数本のループ状の支持部が、その先端の折り返し部によって強膜内に強く拘束されるので、眼内レンズが確実に固定できる。
【００１４】
また前記支持部は、前記レンズ部の側縁から視軸に関する線対称な形状で延びる２本のループ形状で形成され、前記折り返し部は、２つの支持部の先端に形成されているとしてもよい。これにより２本のループ状の支持部が、その先端の折り返し部によって強膜内に強く拘束されるので、眼内レンズが確実に固定できる。
【００１５】
また前記折り返し部には長さ方向に間隔を置いて目盛り線が表示されたとしてもよい。これにより目盛り線を用いて折り返し部が簡単に折る等して分離できるので、折り返し部の長さを適切な長さに簡単に調節できる。
【図面の簡単な説明】
【００１６】
【図１】本発明の眼内レンズ１実施形態の正面図。
【図２】図１の眼内レンズの側面図。
【図３】眼内レンズの先端を示す図。
【図４】眼内レンズを眼内に挿入、固定した状態を示す図。
【図５】眼内レンズの移植手術の途中の状態の第１の例を示す図。
【図６】眼内レンズの移植手術の途中の状態の第２の例を示す図。
【図７】強膜外で眼内レンズを固定する例を示す図。
【発明を実施するための形態】
【００１７】
以下、本発明の実施例を図面を参照しつつ説明する。まず図１から図３は、本発明の１実施例における眼内レンズ１である。図１は眼内レンズ１の正面図、図２は側面図である（なお側面、正面などの方向に関する記載は、眼内レンズを眼内に固定した患者の顔（あるいは眼）における方向（側面、正面など）を指すとする）。
【００１８】
眼内レンズ１は主要な構成として、レンズ２と支持部３とを備える。レンズ２は、例えば白内障により白濁した水晶体を患者の眼から摘出（全摘出、あるいは部分摘出）した後に、眼の後房（あるいは眼後房、つまり虹彩より後ろの領域）に配置して、摘出された水晶体のレンズ機能を代行する。
【００１９】
支持部３はレンズ２を後房内に支持する部位である。図１などのとおり、支持部３は、レンズ２の側縁の２箇所から、１対のループ状（あるいは脚形状、触覚(haptic)形状）に延設されて、視軸（レンズ２の中心軸）に関して線対称な形状を有する。そのループ形状は例えば、視軸に関する径方向外方に延びつつ、（特に先端側は）周方向にも延びる曲線形状である。
【００２０】
図２に示すとおり、支持部３の側方から見た形状は例えば、レンズ３と略同一平面内に収まる形状とすればよい。あるいは、側方から見て支持部３を、レンズ３の側縁から眼内の前方あるいは後方に向かって斜め方向に延びるように形成してもよい。
【００２１】
本発明の眼内レンズ１の材質は従来からある眼内レンズと同様の材質（例えばＰＭＭＡ等）により形成すればよい。それにより眼内レンズ１は可撓性（弾性、柔軟性）を有し、例えば棒状に丸めてインジェクタ等を用いて眼内に挿入することが可能となる。支持部３は、例えば樹脂材料などによりレンズ２と一体で成型すればよい。あるいはそれらをレンズ２と別体で形成して、後で接合（接着など）する形態でもよい。
【００２２】
本発明の主要部として眼内レンズ１は、支持部３の先端側に、折り返されて逆方向に延びる折り返し部３０を有する。折り返し部３０における折り返された部分の形状は、角を有するように折り返されてもよく、角を有さず曲線状に折り返されてもよい。
【００２３】
上述のとおり支持部３は弾性を有し、例えば自然な状態（つまり他から力が作用しない状態）では図３等に示されたように折り返し部３０とそれ以外とが離間した状態となるとしてもよい。この場合、折り返し部３０を折り畳む（すなわち折り返し部３０を、それ以外の支持部３と１直線状に重なるようにする）と、図３のように折り返し部３０とそれ以外とが離間する状態に戻るように弾性復元力が働くとする。あるいは支持部３の先端の折曲がり部分に上記のような十分な弾性はなく、図３の形状を常に維持するとしてもよい。
【００２４】
図４には折り返し部３０の詳細が示されている。折り返し部３０は、屈曲部３２で折り返され、折り返し側先端３３は支持部３の延設方向に対する逆方向を向いている。屈曲部３２における折り返しは上述のとおり角を有する折り返しでも、角を有さない曲線的な折り返しでもよいが、屈曲部３２における折り返しの角度はあまり開きすぎないようにし、後述のように強膜内トンネルの中に折り返し部３０とそれ以外の支持部３とが屈曲部３２を先頭に挿入可能な角度とすればよい。
【００２５】
折り返し部３０には、長さ方向に間隔を置いて目盛り線３１が例えば印刷により表示されている。図４のとおり目盛り線３１は複数本とすればよく、目盛り線３１の間隔は例えば０．５ｍｍ等のような等間隔とすればよい。なお目盛り線３１は１本でもよい。
【００２６】
眼内レンズ１の支持部は従来の眼内レンズと同様の材質で形成されているので、施術者が適当な医療器具を用いて折り返し部３０の任意の箇所を折れば、比較的容易に折られた箇所で分離する。したがって目盛り線３１を目安にして施術者が、適当な長さの所で折り返し部３０を折ることにより、折り返し部３０の長さを簡単に調節できる。よって折り返し部３０の長さを、後述の強膜内トンネルの長さ等に応じた適切な長さにできる。
【００２７】
図４には眼内レンズ１を眼内に移植（装着）した状態の例が示されている。そして手術途中の様子の例が図５、図６に示されている。
【００２８】
本発明の眼内レンズ１は、例えば白内障により白濁した水晶体を全摘出あるいは部分摘出した後の眼内の後房（眼後房）に、強膜内固定の手法で（縫着なしで）固定される。図４のとおり、虹彩１０２の後ろの位置にレンズ２が配置された状態で、レンズ２から図示左右に１対形成された支持部３の折り返し部３０は、強膜１０１の内部に埋め込まれた状態となる。図４は水晶体を全摘出した場合を示している。
【００２９】
本発明の眼内レンズの移植手術の手順は、例えばAmar Agarwalらの文献（Journal of Cataract and Refractive Surgery, vol.34, pp.1433-1438 (2008)）に示された手順と同様とすればよく、その一例は以下のとおりである。
【００３０】
結膜切除術などの後に、図５に示すように、強膜１０１における角膜１００の縁部（limbus）に隣接する位置に、強膜のほぼ半分の厚さの弁である強膜半層弁１０４を形成する。強膜半層弁１０４を形成する位置は、強膜表面のうちで縁部に隣接する位置における視軸に関して対称な２箇所とする。図５にはこうして形成された２つの強膜半層弁１０４のうち１つが示されている。
【００３１】
そして、強膜１０１における強膜半層弁１０４の下層の１箇所から、例えば眼球の中心方向へ（あるいは毛様溝の方向、毛様体扁平部の方向へ）強膜切開を形成する。さらに、強膜半層弁１０４がくり貫かれた部分の側壁における、強膜表面から例えば強膜厚さのほぼ半分の深さの箇所１０５を入口として、縁部にほぼ平行な方向に、つまり視軸に関する周方向に強膜内トンネル１０６を形成する。強膜内トンネル１０６は適切な長さ（例えば２ｍｍから３ｍｍ）で、強膜表面を出口として貫通するように形成すればよい。
【００３２】
そして、眼内レンズ１を、例えば角膜１００に形成された切開から、棒状に丸められた状態で所定のインジェクタ等により、眼内に挿入する。挿入の際、一方の支持部３を先頭側にして、他方の支持部３を後方側にする。先頭側の支持部３およびレンズ２が眼内に挿入されても、後方側の支持部３は角膜１００の切開から一部が外部に露出した状態にしておく。
【００３３】
図５に示すように、強膜半層弁１０４が開かれた状態で、眼内に挿入された先頭側の支持部３の先端部（例えば折り返し部３０）を、たとえば２５−ｇ鉗子などの器具により、強膜切開を通じて後房から引き抜き、強膜半層弁１０４の下部から眼外へ露出させる。その際、折り返し部３０の全体を眼外へ露出させる。
【００３４】
そして、眼外へ露出した折り返し部３０を、上記で形成した強膜内トンネル１０６内に挿入する。この手順では、上記と同様例えば２５−ｇ鉗子などの器具を用いればよい。この挿入においては屈曲部３２を先頭にして挿入する。
【００３５】
この挿入が可能なように、屈曲部３２における折り返しの角度は、その折り返し部以外の支持部３の一部とともに、強膜内トンネル１０６に挿入可能な角度であるとすればよい。そして折り返し部の長さは、その折り返し部以外の支持部３の一部とともに、強膜の内部に形成されたトンネル状の孔部に全体が収容される長さとすればよい。上述のように施術者が目盛り線３１を目安にして折り返し部３０の長さを予め適切な長さにしておく。
【００３６】
折り返し部３０は、折り返し側先端３３が強膜内トンネル１０６の中に入るまで、すなわち折り返し部３０の全体が強膜内トンネル１０６の内部に収容される状態まで挿入する。これにより屈曲部３２も折り返し側先端３３も強膜内トンネル１０６の内部に収容された状態となる。同じ手順をもう一方の支持部３に対しても行う。これにより、２本の支持部３がともに、視軸に関して対称な位置で折り返し部３０を含めた先端が強膜内トンネル１０６の内部に収容された状態となる。
【００３７】
以上の手順が終了したら、２つの強膜半層弁１０４を閉じるが、その際に強膜半層弁１０４（の裏面側）あるいはそれに対向する面に例えばフィブリン接着剤（fiblin glue）を塗布して、強膜半層弁１０４を強膜１０１に接着する。以上が眼内レンズ強膜内固定術の主な手順の一例である。以上の手順により、強膜内トンネル１０６が支持部３を締め付けることで強膜内トンネル１０６内に支持部３が拘束、保持されて、縫着なしで眼内レンズ１が眼内に固定される。
【００３８】
あるいは本発明の眼内レンズ１は、Gabor B. Schariothらの文献（Journal of Cataract and Refractive Surgery, vol. 33, pp.1851-1854 (2007)）に記載されたのと同様の手法で眼内に移植してもよい。
【００３９】
この手法では、強膜半層弁１０４は形成せず、強膜１０１の表面から後房に向けて強膜切開を行う。そしてその強膜切開における強膜の厚さ半分位の箇所から、縁部にほぼ平行な方向に、つまり視軸に関する周方向に強膜内トンネル１０６（孔部）を、適切な長さ（例えば２から３ｍｍ）で、強膜表面を出口として貫通するように形成する。
【００４０】
そして上述と同様に支持部３を折り返し部３０を含めて強膜内トンネル１０６内に挿入する。この場合、先端部の強膜トンネル挿入後の強膜切開は、必要ならば縫着すればよい。なお本発明の眼内レンズ１を眼内に移植する際には、上記２文献の手法に限定されず、あらゆる強膜内固定術の手法を用いることができる。
【００４１】
本発明において折り返し部３０は以下の効果を奏する。折り返し部３０（特に折り返される部分）が十分な弾性を有する場合、上記手順で折り返し部３０は、強膜トンネル１０６に挿入される際に、支持部３の他の部分と重なるようにして１直線状に畳んで挿入すればよい。強膜トンネル１０６内に収容されると折り返し部３０は、自身が持つ弾性復元力によって再び開こうとして、強膜トンネル１０６の内壁を押す。
【００４２】
これに応じて強膜トンネル１０６の内壁が伸張すると考えられるが、強膜が有する強度により、ある程度伸張した後に折り返し部３０を含む先端部を外側から押し返す。これにより押す力と押し返す力とが均衡する。この緊張状態が存在することによって、折り返し部３０を含む先端部が強膜トンネル１０６内で動きにくくなる。
【００４３】
さらに支持部３が強膜内トンネル１０６の入り口１０５の方から抜けるように力が作用した場合、折り返し側先端３３が強膜内トンネル１０６の内壁のどこかに引っかかる（掛止（係止）する）こととなるので、支持部３が強膜内トンネル１０６から抜けることも強く抑制される。以上の作用により、眼内レンズ１が眼内に確実に固定される。
【００４４】
なお、折り返し部３０（の折り返し部分）が折り畳めるほどの弾性を屈曲部３２が有さないとしてもよい。その場合、折り返し部３０を折り畳まずにそのままの形状で強膜内トンネル１０６を押し広げるようにして強膜内トンネル１０６内に挿入する。
【００４５】
この場合にも、折り返し部３０が強膜内トンネル１０６の内壁を押し、さらに折り返し部３０を入り口１０５の方から引き抜くように力が働くと折り返し部３０の先端が強膜内トンネル１０６の内壁のどこかに掛止する。したがって、支持部３が強膜内トンネル１０６内で動くことが強く抑制され、眼内レンズ１が眼内に確実に固定される。
【００４６】
上記実施例は、特許請求の範囲に記載された趣旨の範囲内で変更してよい。例えば上記実施例では支持部を２本としたが、本発明はこれに限定せず、例えば３本、４本、５本、６本など２本以外としてもよい。また上記例では支持部をループ形状としたが、ループ状以外でも、レンズ２の側縁から視軸に関する径方向外方に脚形状で延設される形状と、先端が周方向に延びる形状を備えればよい。
【００４７】
また折り返し部３０の折り返し方向は、図１の例では内側（レンズ２の中心に近い側）に折り返されているが、外側に折り返された形状でもよく、それ以外の方向、つまり支持部３（あるいはレンズ３）が含まれる平面と交差する方向に折り返してもよい。
【００４８】
以上の例では、強膜内にトンネルを形成して、その中に折り返し部３０を含む支持部を挿入したが、本発明では、支持部を毛様溝から挿入する形態であれば、強膜内とは異なる所に固定してもよい。例えば図７には、強膜の外側表面で固定した例が示されている。この例では、支持部３は折り返し部３０を含めて、毛様溝１０４から強膜１０１の外まで引き抜かれて強膜１０１の外表面に折り返し部３０が掛止する。この例では例えば強膜半層弁１０４を形成しないとしてもよい。
【００４９】
支持部３が強膜１０１の外まで引き抜かれた状態になると、支持部３を眼内に引っ張る力が働いた場合に、折り返し部３０が強膜１０１の外側表面に掛止することで引っ張る力に抵抗する。したがって、支持部３が抜け落ちることが折り返し部３０によって抑制されるので、眼内レンズ１は確実に眼内に固定される。この例では、支持部３の長さを、折り返し部３０の全体が強膜１０１の外まで引き出されるのに適した長さにすればよい。同様に図４などの例では、支持部３の長さを、折り返し部３０の全体が強膜１０１の内部に挿入されるのに適した長さにすればよい。
【符号の説明】
【００５０】
１    眼内レンズ
２    レンズ（レンズ部）
３    支持部
３０    折り返し部
【要約】
【課題】支持部を毛様溝から挿入して強膜に固定する処置に適した構成を有することにより、水晶体摘出後の眼内に、毛様溝から挿入して強膜に固定する処置によって縫着なしで確実に固定される眼内レンズを提供する。
【解決手段】眼内レンズ１は、レンズ２と、その左右一対形成されたループ状の支持部３と、を備え、支持部３の先端に折り返し部３０を備える。強膜の縁部隣接部位における視軸に関して対称な２箇所の強膜厚さ半分の深さ位置に、周方向に強膜内トンネルを形成する。支持部３の先端が毛様溝から引き抜かれて強膜内トンネル内に挿入されることで、眼内レンズ１が眼内に固定される。さらにその際、折り返し部３０が強膜内トンネルの内部のどこかに掛止することにより、支持部３が強膜内トンネル内に強く拘束されて、眼内レンズがより確実に固定される。
【選択図】図１【図１】
0005398092.tif 000002
【図２】
0005398092.tif 000003
【図３】
0005398092.tif 000004
【図４】
0005398092.tif 000005
【図５】
0005398092.tif 000006
【図６】
0005398092.tif 000007
【図７】
0005398092.tif 000008